(57)【要約】【課題】高精度な初期照度補正制御を可能とするＬＥＤ点灯装置を提供する。【解決手段】ＬＥＤ点灯装置（１）は、調光指令値が示す調光率に従って直流出力をＬＥＤ（２）に供給する直流電源回路（２０、４０）と、ＬＥＤの近傍の温度を検出する温度検出回路（５０）と、温度検出回路によって検出される検出温度の増加又は減少に対して、単位時間あたりの調光率の上昇率である調光上昇率をそれぞれ逐次的に増加又は減少させる上昇率決定部（６１）と、ＬＥＤの点灯時間を計測する計時部（６８）と、調光上昇率及び点灯時間から得られる調光率に基づいて調光指令値を決定する調光率決定部（６２）を備える。【選択図】  図１
2017126483.tif 000002
【特許請求の範囲】
【請求項１】
ＬＥＤ点灯装置であって、
調光指令値が示す調光率に従って直流出力をＬＥＤに供給する直流電源回路と、
前記ＬＥＤの近傍の温度を検出する温度検出回路と、
前記温度検出回路によって検出される検出温度の増加又は減少に対して、単位時間あたりの調光率の上昇率である調光上昇率をそれぞれ逐次的に増加又は減少させる上昇率決定部と、
前記ＬＥＤの点灯時間を計測する計時部と、
前記調光上昇率及び前記点灯時間から得られる調光率に基づいて前記調光指令値を決定する調光率決定部と
を備えたＬＥＤ点灯装置。
【請求項２】
請求項１に記載のＬＥＤ点灯装置において、前記検出温度の増加又は減少に対して前記調光上昇率が連続的に増加又は減少するように構成された、ＬＥＤ点灯装置。
【請求項３】
請求項１又は２に記載のＬＥＤ点灯装置であって、
前記ＬＥＤの順方向電圧を検出する電圧検出回路と、
前記順方向電圧が相対的に高い場合には前記調光上昇率を増加させ、前記順方向電圧が相対的に低い場合には前記調光上昇率を低下させる修正処理部と
を更に備えたＬＥＤ点灯装置。
【請求項４】
請求項３に記載のＬＥＤ点灯装置において、前記修正処理部が、前記順方向電圧が相対的に高い場合には前記調光率を低下させ、前記順方向電圧が相対的に低い場合には前記調光率を増加させるように構成された、ＬＥＤ点灯装置。
【請求項５】
ＬＥＤ点灯装置であって、
調光指令値が示す調光率に従って直流出力をＬＥＤに供給する直流電源回路と、
前記ＬＥＤの近傍の温度を検出する温度検出回路と、
前記ＬＥＤの順方向電圧を検出する電圧検出回路と、
前記ＬＥＤの累積点灯時間に対する前記調光率の変化を規定する補正関数を、前記温度検出回路によって検出される検出温度に応じて決定する補正関数決定部と、
前記ＬＥＤの累積点灯時間を取得する点灯時間取得部と、
前記補正関数に前記累積点灯時間を適用して得られる調光率に基づいて前記調光指令値を決定する調光率決定部と、
前記補正関数決定部によって決定された前記補正関数における単位時間あたりの調光率の上昇率である調光上昇率について、前記順方向電圧が相対的に高い場合には前記調光上昇率を増加させ、前記順方向電圧が相対的に低い場合には前記調光上昇率を低下させて前記補正関数を修正する修正処理部と
を備えたＬＥＤ点灯装置。
【請求項６】
請求項５に記載のＬＥＤ点灯装置において、前記修正処理部が、前記順方向電圧が相対的に高い場合には前記調光率を低下させ、前記順方向電圧が相対的に低い場合には前記調光率を増加させて前記補正関数を更に修正するように構成された、ＬＥＤ点灯装置。
【請求項７】
請求項１から６のいずれか一項に記載のＬＥＤ点灯装置と、前記ＬＥＤとを備えた照明装置。
【発明の詳細な説明】
【技術分野】
【０００１】
本発明は、ＬＥＤ点灯装置及びそれを用いたＬＥＤ照明装置に関する。
【背景技術】
【０００２】
一般に、ＬＥＤの性質として、累積点灯時間の増加に対して光束（それに伴う照度）が低下していくことが知られている。これは、ＬＥＤの点灯時間が増加するにつれて、発光に寄与する格子欠陥が変化すること及び青色光を白色光に変換するＹＡＧ系の蛍光体が劣化することによって発光効率が低下することに起因する。ＬＥＤ点灯装置には、このような照度の変化を補償するために、いわゆる初期照度補正機能が設けられる場合がある（特許文献１参照）。初期照度補正機能とは、ＬＥＤの点灯初期はＬＥＤ電流を定格電流よりも低減しておき、累積点灯時間が進むにつれてＬＥＤ電流を増加させて定格電流に近づけていく機能である。これにより、ＬＥＤ点灯開始当初から使用時間の経過にかかわらず一定の照度が得られる。また、初期照度補正機能によって、点灯初期に不要に高い照度で点灯が行われてしまうことが防止され、省エネ及びＬＥＤの長寿命化が実現される。
【０００３】
例えば、特許文献１には、ＬＥＤ等のランプが照度補正部を備え、照度補正部が、発光素子の累積点灯時間を計時する計時部と、累積点灯時間を記憶するメモリとを有する構成が開示される。照度補正部には、発光素子の光束減退特性に基づいて照度補正特性が設定されている。照度補正特性は、照度補正値としての調光比と累積点灯時間との対応関係を表し、発光素子の累積点灯時間が増加しても発光素子の光出力が一定に保たれるように設定される。照度補正部は、照度補正特性を使用し、発光素子の累積点灯時間に基づいて発光素子の調光比を決定する。また、照度補正部は、ランプの周囲温度を測定する温度測定部を有し、温度測定部で測定された周囲温度に応じて、使用する照度補正特性を決定する。より具体的には、照度補正部は、周囲温度を判定し、予めメモリに記憶された温度別の複数の光束減退特性の中から対応する温度の光束減退特性を選択し、選択した光束減退特性に基づいて照度補正特性を決定し、この照度補正特性を使用してランプの累積点灯時間に対応する調光比を決定することが開示される。
【先行技術文献】
【特許文献】
【０００４】
【特許文献１】特開２０１１−２２２３２０号公報
【発明の概要】
【発明が解決しようとする課題】
【０００５】
しかし、温度別に記憶された複数の光束減退特性から検出温度に対応するものが選択されて照度補正特性が決定される構成には、以下に示すように、初期照度補正制御の精度に関して改善の余地がある。
【０００６】
第１に、検出温度に対する補正制御の追従性又は解像度の向上が望まれる。１つの照度補正特性が長期間又は永続的に使用される構成によると、その後の温度変化によって現実の温度と照度補正特性の決定時の温度との間の乖離が増加することにより、検出温度に対する照度補正の追従性が低下し得る。また、複数の温度設定に対する複数の照度補正特性から１つの温度設定に対する１つの照度補正特性が選択される構成によると、現実の検出温度と適用される設定温度との差（すなわち、検出温度とそれに最も近い設定温度の差）に起因して、検出温度に対する照度補正の解像度は潜在的に低い。このように低い追従性又は解像度によって照度補正の精度低下がもたらされる。
【０００７】
第２に、ＬＥＤの劣化速度がより正確に予測又は制御されることが望ましい。上記構成は、ＬＥＤの周囲温度から予測したＬＥＤの劣化速度に基づいて照度補正を行うものである。ここで、ＬＥＤの周囲温度とＬＥＤの劣化とは一定の相関を有するものの、ＬＥＤの素子温度がより直接的な劣化の要因となることから、ＬＥＤの素子温度がより正確に照度補正に反映されれば、ＬＥＤの劣化速度が正確に予測又は制御され、高精度な初期照度補正制御が実現されるはずである。
【０００８】
そこで、本発明は、上記の照度補正制御の追従性若しくは解像度の課題又はＬＥＤ素子温度の照度補正制御への反映の課題の少なくとも１つに対処して高精度な初期照度補正制御を可能とするＬＥＤ点灯装置及びそれを用いたＬＥＤ照明装置を提供することを課題とする。
【課題を解決するための手段】
【０００９】
本発明の第１の形態のＬＥＤ点灯装置は、調光指令値が示す調光率に従って直流出力をＬＥＤに供給する直流電源回路と、ＬＥＤの近傍の温度を検出する温度検出回路と、温度検出回路によって検出される検出温度の増加又は減少に対して、単位時間あたりの調光率の上昇率である調光上昇率をそれぞれ逐次的に増加又は減少させる上昇率決定部と、ＬＥＤの点灯時間を計測する計時部と、調光上昇率及び点灯時間から得られる調光率に基づいて調光指令値を決定する調光率決定部とを備える。
【００１０】
上記第１の形態によると、上昇率決定部が検出温度の増加又は減少に対して調光上昇率を逐次的に増加又は減少させ、この調光上昇率及び点灯時間に基づいて調光率決定部が調光指令値を決定するので、検出温度に対して高い追従性を有する照度補正制御が実現される。これにより、高精度な初期照度補正制御が可能となる。
【００１１】
ここで、一態様として、検出温度の増加又は減少に対して調光上昇率が連続的に増加又は減少するように構成される。これにより、検出温度に対して高い解像度の照度補正制御が得られる。
【００１２】
第２の形態のＬＥＤ点灯装置では、上記第１の形態において、ＬＥＤの順方向電圧を検出する電圧検出回路と、順方向電圧が相対的に高い場合には調光上昇率を増加させ、順方向電圧が相対的に低い場合には調光上昇率を低下させる修正処理部とが更に設けられる。
【００１３】
上記第２の形態によると、順方向電圧の高／低、すなわちＬＥＤ電力の高／低に調光上昇率の高／低が対応するので、発熱が多く劣化が速くなり得るＬＥＤに対しては相対的に速い照度上昇が適用され、発熱が小さく劣化が遅くなり得るＬＥＤに対しては相対的に遅く照度上昇が適用される。このように、上記第１の形態で得られる有利な効果に加えて、ＬＥＤの素子温度をより正確に反映した高精度な初期照度補正制御が実現される。
【００１４】
さらに、修正処理部は、順方向電圧が相対的に高い場合には調光率を低下させ、順方向電圧が相対的に低い場合には調光率を増加させるように構成されてもよい。これにより、順方向電圧の高／低に調光率の低／高が対応するので、ＬＥＤの発熱及び劣化速度が適正化される。また、複数のＬＥＤ点灯装置から給電されるＬＥＤ間のＬＥＤ電力のばらつき、すなわち照度のばらつきが解消される。
【００１５】
第３の形態のＬＥＤ点灯装置は、調光指令値が示す調光率に従って直流出力をＬＥＤに供給する直流電源回路と、ＬＥＤの近傍の温度を検出する温度検出回路と、ＬＥＤの順方向電圧を検出する電圧検出回路と、ＬＥＤの累積点灯時間に対する調光率の変化を規定する補正関数を、温度検出回路によって検出される検出温度に応じて決定する補正関数決定部と、ＬＥＤの累積点灯時間を取得する点灯時間取得部と、補正関数に累積点灯時間を適用して得られる調光率に基づいて調光指令値を決定する調光率決定部と、補正関数決定部によって決定された補正関数における単位時間あたりの調光率の上昇率である調光上昇率について、順方向電圧が相対的に高い場合には調光上昇率を増加させ、順方向電圧が相対的に低い場合には調光上昇率を低下させて補正関数を修正する修正処理部とを備える。
【００１６】
上記第３の形態によると、複数の補正関数から１つの補正関数が選択される簡素な制御構成においても、上記第２の形態と同様に、発熱が多く劣化が速くなり得るＬＥＤに対しては相対的に速い照度上昇が適用され、発熱が小さく劣化が遅くなり得るＬＥＤに対しては相対的に遅く照度上昇が行われる。これにより、ＬＥＤの素子温度をより正確に反映した高精度な初期照度補正制御が実現される。
【００１７】
さらに、修正処理部は、順方向電圧が相対的に高い場合には調光率を低下させ、順方向電圧が相対的に低い場合には調光率を増加させて補正関数を修正するように構成されてもよい。これにより、順方向電圧の高／低に調光率の低／高が対応するので、ＬＥＤの発熱及び劣化速度が適正化される。また、複数のＬＥＤ点灯装置から給電されるＬＥＤ間のＬＥＤ電力のばらつき、すなわち照度のばらつきが解消される。
【００１８】
本発明のＬＥＤ照明装置は、上記のいずれかによるＬＥＤ点灯装置と、ＬＥＤとを備える。上記のように、高精度な初期照度補正制御を実行するＬＥＤ点灯装置を用いてＬＥＤが点灯されるので、ＬＥＤ照明装置における適正な寿命管理が可能となる。
【図面の簡単な説明】
【００１９】
【図１】第１の実施形態によるＬＥＤ点灯装置及びＬＥＤ照明装置のブロック図である。
【図２】第１の実施形態における温度検出回路及び照度補正回路の一例である。
【図３Ａ】図２の構成によるＬＥＤ照明装置の動作を説明する図である。
【図３Ｂ】図２の構成によるＬＥＤ照明装置の動作を説明する拡大図である。
【図４】第２の実施形態によるＬＥＤ点灯装置及びＬＥＤ照明装置のブロック図である。
【図５】第２の実施形態によるＬＥＤ照明装置の動作を説明する図である。
【図６】第２の実施形態によるＬＥＤ照明装置の動作の発展例を説明する図である。
【図７】第３の実施形態によるＬＥＤ点灯装置及びＬＥＤ照明装置のブロック図である。
【図８】第３の実施形態によるＬＥＤ照明装置の動作を説明する図である。
【図９】第３の実施形態によるＬＥＤ照明装置の動作の発展例を説明する図である。
【図１０】変形例によるＬＥＤ点灯装置及びＬＥＤ照明装置のブロック図である。
【発明を実施するための形態】
【００２０】
＜第１の実施形態＞
図１に、本発明の第１の実施形態によるＬＥＤ点灯装置１及びＬＥＤ照明装置３のブロック図を示す。ＬＥＤ点灯装置１及びＬＥＤ２によってＬＥＤ照明装置３が構成される。ＬＥＤ点灯装置１は、商用電源等の交流電源ＡＣから給電され、ＬＥＤ２を点灯する。ＬＥＤ２は、直列接続又は直並列接続された複数のＬＥＤ素子を備えたＬＥＤモジュールを構成する。
【００２１】
ＬＥＤ点灯装置１は、入力回路１０、ＤＣ／ＤＣコンバータ２０、出力検出回路３０、制御回路４０、温度検出回路５０及び照度補正回路６０を備え、交流電源ＡＣから供給される交流入力を所定の直流出力に変換して直流電流及び直流電圧をＬＥＤ２に供給する。なお、ＤＣ／ＤＣコンバータ２０及び制御回路４０を併せて直流電源回路ともいう。
【００２２】
入力回路１０は、ダイオードブリッジ１１及び入力コンデンサ１２を備える。交流入力電圧がダイオードブリッジ１１によって全波整流され、入力コンデンサ１２には脈流電圧が現われる。なお、直流電源からの直流電圧がＬＥＤ点灯装置１に入力される場合には入力回路１０は不要である。
【００２３】
ＤＣ／ＤＣコンバータ２０は、スイッチング素子２１（ＭＯＳＦＥＴ）、トランス２２、ダイオード２３及び出力コンデンサ２４を備え、スイッチング素子２１のＰＷＭ駆動によってＬＥＤ２に直流電力を供給する。ＤＣ／ＤＣコンバータ２０は、本実施形態においては絶縁型フライバックコンバータからなり、力率改善機能を持つ、いわゆるワンコンバータ方式のフライバック回路を構成する。なお、ＤＣ／ＤＣコンバータ２０は、バックコンバータ、バックブーストコンバータ等、他の形式のコンバータであってもよい。
【００２４】
スイッチング素子２１のオン期間にトランス２２の一次巻線によってエネルギーが蓄積され、スイッチング素子２１のオフ期間にそのエネルギーがトランス２２の二次巻線側からダイオード２３を介して出力コンデンサ２４に充電される。ＤＣ／ＤＣコンバータ２０の出力電力は、スイッチング素子２１のＰＷＭ制御におけるオンデューティ（デューティ比）、一次巻線に対する二次巻線の巻数比等によって決まる。スイッチング素子２１は、後述するスイッチング制御用の制御ＩＣ４５によって駆動される。なお、以降の説明において、入力コンデンサ１２の低電位電極側ノードを一次側グランドＧ１といい、出力コンデンサ２４の低電位電極側ノードを二次側グランドＧ２というものとする。また、ＤＣ／ＤＣコンバータ２０の出力電流を単に「出力電流」といい、ＤＣ／ＤＣコンバータ２０の出力電圧を単に「出力電圧」という。各実施形態において、出力電流はＬＥＤ電流に等しく、出力電圧はＬＥＤ２の順方向電圧Ｖｆに等しいものとする。
【００２５】
出力検出回路３０は、電流検出抵抗３１からなる電流検出回路を含み、二次側グランドＧ２を基準電位とする。電流検出抵抗３１は二次側グランドＧ２とＬＥＤ２のカソード端との間に挿入された低抵抗素子からなり、出力電流に比例した電圧が電流検出抵抗３１に発生する。
【００２６】
制御回路４０は、オペアンプ４１、定電圧源４２（例えば制御電源）、抵抗４３、フォトカプラ４４及び制御ＩＣ４５を含み、ＤＣ／ＤＣコンバータ２０の出力を定電流制御する。フォトカプラ４４はフォトダイオード４４ｄ及びフォトトランジスタ４４ｔを含み、フォトダイオード４４ｄ及びその前段の回路（オペアンプ４１、定電圧源４２等）が二次側グランドＧ２を基準電位とし、フォトトランジスタ４４ｔ及びその後段の回路（制御ＩＣ４５）が一次側グランドＧ１を基準電位として動作する。なお、制御回路４０には、制御電源が適宜給電されるものとする。
【００２７】
オペアンプ４１の負入力端子（−）には、出力検出回路３０からの検出電流値が入力され、オペアンプ４１の正入力端子（＋）には、照度補正回路６０からの目標電流値が入力される。オペアンプ４１の負入力端子と出力端子間には不図示の帰還素子（抵抗、コンデンサ、又はこれらの直列回路若しくは並列回路）が接続され、負入力端子電圧と正入力端子電圧の誤差が出力端子において出力される。オペアンプ４１の出力はフォトダイオード４４ｄのカソードに接続され、フォトダイオード４４ｄのアノードは抵抗４３を介して定電圧源４２に接続される。フォトカプラ４４では、フォトダイオード４４ｄに流れる電流に応じてフォトトランジスタ４４ｔの出力状態が決定され、フォトトランジスタ４４ｔの出力が入力信号として制御ＩＣ４５に入力される。通常点灯時においては、オペアンプ４１は、出力電流（検出電流値）が目標電流値に一致するようにスイッチング素子２１のＰＷＭ制御におけるオン幅を決定することになる。
【００２８】
制御ＩＣ４５は、一般的なＬＥＤドライバＩＣからなり、制御ＩＣ４５には不図示の周辺回路素子が適宜接続される。制御ＩＣ４５は、フォトトランジスタ４４ｔの出力状態に応じたパルス幅のＰＷＭ駆動信号を生成し、それをスイッチング素子２１のゲート電圧として出力する。例えば、制御ＩＣ４５は、フォトダイオード４４ｄ及びフォトトランジスタ４４ｔの電流の増加／減少に対してＰＷＭ制御のオン幅を減少／増加させ、出力電流を低減させる。すなわち、制御回路４０は、出力電流が目標電流値に一致するようにＤＣ／ＤＣコンバータ２０を定電流制御する。
【００２９】
温度検出回路５０は、ＬＥＤ２の近傍に配置され、ＬＥＤ２の雰囲気温度又は周辺温度を検出し、この検出温度を電気信号に変換する。温度検出回路５０は、回路上はＬＥＤ点灯装置１の一部を構成しているが、配置上はＬＥＤ点灯装置１の筐体内ではなく、ＬＥＤ２のモジュールが収納される筐体の内部又は外部に配置されることが好ましい。言い換えると、温度検出回路５０は、ＬＥＤ点灯装置１の筐体の外部であってＬＥＤ照明装置３の筐体の内部又は外部にある。なお、ＬＥＤ２の雰囲気温度又は周辺温度とは、ＬＥＤ２を構成するＬＥＤモジュールが収納される上記筐体の周囲温度である。温度検出回路５０は、ＬＥＤ２に並列接続された、抵抗５１とＰＴＣサーミスタ５２の直列回路を備える。
【００３０】
本例では、検出温度の高／低に対して、ＰＴＣサーミスタ５２の電圧、すなわち温度検出回路５０の温度検出値の高／低が対応する。温度検出回路５０によって検出された温度検出値は照度補正回路６０に出力される。なお、検出温度の高低と温度検出回路５０の温度検出値の高低の論理が逆になるように温度検出回路５０が構成されてもよい。また、配線上可能であれば、温度検出回路５０が制御電源と二次側グランドＧ２の間に接続される構成としてもよい。この場合、温度検出回路５０の検出値が出力電圧に影響されないので、ＬＥＤ２の順方向電圧Ｖｆのばらつき又は変動（ＬＥＤ素子の一部短絡等の異常によるばらつきも含む）が温度検出値に影響しない。
【００３１】
照度補正回路６０は、例えばマイコンからなり、点灯時間に応じて所定の態様で調光率及び調光指令値を上昇させる初期照度補正機能を実行する。照度補正回路６０は、上昇率決定部６１、調光率決定部６２、Ａ／Ｄ変換部６６、記憶部６７及び計時部６８を備え、これらの各部はバスＢによって相互に信号又はデータのやり取りが可能な態様で接続される。上昇率決定部６１及び調光率決定部６２はＣＰＵの一部を構成し、このＣＰＵは、上記各部に含まれない一般的な処理機能を適宜実行できるものとする。Ａ／Ｄ変換部６６は、温度検出回路５０によって検出された検出温度に対応する電圧をＡ／Ｄ変換してマイコンに取り込む。なお、Ａ／Ｄ変換部６６はマイコンの外部にあってもよい。記憶部６７はデータ及びプログラムを記憶するための不揮発性メモリであり、計時部６８はタイマ又はカウンタからなる。
【００３２】
上昇率決定部６１は、温度検出回路５０によって検出される検出温度の増加／減少に対して、単位時間あたりの調光率の上昇率である調光上昇率を逐次的に増加／減少させる。すなわち、ＬＥＤ２の雰囲気温度が相対的に高い場合には、ＬＥＤ２の劣化（すなわち、光束低下速度）が相対的に速くなることから、上昇率決定部６１は、調光率上昇率を増加させる。逆に、ＬＥＤ２の雰囲気温度が相対的に低い場合には、ＬＥＤ２の劣化（すなわち、光束低下速度）が相対的に遅くなることから、上昇率決定部６１は、調光率上昇率を低減させる。例えば、同じＬＥＤ照明装置３においても、夏季には調光上昇率が増加し、冬季には調光上昇率が低減することになる。あるいは、温暖な地域に設置されるＬＥＤ照明装置３では調光上昇率は相対的に高く、寒冷な地域に設置されるＬＥＤ照明装置３では調光上昇率は相対的に低くなる。
【００３３】
調光率決定部６２は、上昇率決定部６１によって決定された調光上昇率及び計時部６８によって計測される点灯時間に従って調光率を決定する。すなわち、第１の時刻において第１の調光率であった場合、第１の時刻から単位時間経過後の第２の時刻における第２の調光率は、決定された調光上昇率に単位時間を乗じた値を第１の調光率に加算して得られた値となる。なお、調光率は、全光点灯用の１００％が上限となるように決定される。そして、調光率決定部６２は、決定した調光率を、調光指令値である目標電流値に変換し、それを制御回路４０のオペアンプ４１に出力する。
【００３４】
図１においては、検出温度がアナログ値としてＡ／Ｄ変換部６６を介して上昇率決定部６１に入力される構成を示した。これにより、検出温度に対して連続的調光率が決定される初期照度補正制御が可能となり、初期照度補正の解像度が向上する。一方、検出温度が２値信号として上昇率決定部６１に入力されるようにしてもよい。この場合、Ａ／Ｄ変換部６６は省略されてもよく、構成の簡素化が可能となる。図２に、上記のように検出温度が２値信号として与えられる場合の例示の温度検出回路５０及び照度補正回路６０を示す。
【００３５】
図２に示すように、温度検出回路５０は、抵抗５１、ＰＴＣサーミスタ５２、及びＭＯＳＦＥＴ等のスイッチング素子５３を含む。上述したように、温度検出回路５０は、温度検出精度の観点からＬＥＤ２のモジュール側に配置されることが好ましい。雰囲気温度が所定の温度閾値（例えば、３０℃）を超えると、上昇したＰＴＣサーミスタ５２の抵抗値及び電圧によってスイッチング素子５３がオンし、上昇率決定部６１への入力値はロー（ゼロ）となる。一方、雰囲気温度が温度閾値以下となると、低下したＰＴＣサーミスタ５２の抵抗値及び電圧によってスイッチング素子５３がオフし、電圧源５４（例えば制御電源）から抵抗５５を介して上昇率決定部６１への入力が発生して入力値がハイとなる。上記の切換が所望の温度閾値で行われるように、抵抗５１の抵抗値及びＰＴＣサーミスタ５２の特性が選定されるものとする。
【００３６】
図３Ａに、図２の回路が採用されたＬＥＤ点灯装置１（ＬＥＤ照明装置３）が固定点に設置された場合に結果として得られることになる点灯状態（調光率：％）及び照度（又は光束）を示す。横軸は、ＬＥＤ２の寿命（例えば、１０００００時間）にわたる点灯時間である。また、図３Ｂは、図３Ａのグラフの一部拡大図である。なお、本開示の各図において図は模式図であり、寸法通りとは限らない。
【００３７】
図３Ａに示すように、調光率は８０％で開始され、その後上昇され、調光率が１００％に達した後は全光点灯が維持される。これにより、照度は寿命にわたって略一定となる。図３Ｂに示すように（図３Ａにおいてもわずかに視認されるように）、調光上昇率は、概ね周期的に切り換えられる。すなわち、雰囲気温度が温度閾値３０℃を超える夏季には高い調光上昇率Ａが適用され、雰囲気温度が温度閾値３０℃以下となる冬季には低い調光上昇率Ｂが適用される。なお、年間を通じた１日あたりの平均点灯時間が１０時間程度である場合、一組の調光上昇率Ａ（夏季）及び調光上昇率Ｂ（冬季）のサイクルは３６５０時間程度となる。
【００３８】
なお、調光上昇率Ａ及びＢの設定の一例は以下の通りである。調光上昇率Ａは、雰囲気温度が３５℃一定である場合に照度が一定となる初期照度補正が実行されるように設定された関数である。例えば、調光上昇率Ａは、仮に調光上昇率Ａが固定されて適用された場合に累積点灯時間が４００００時間に達した時点で調光率が１００％に達するように構成されている。一方、調光上昇率Ｂは、雰囲気温度が２５℃一定である場合に照度が一定となる初期照度補正が実行されるように設定された関数である。例えば、調光上昇率Ｂは、仮に調光上昇率Ｂが固定されて適用された場合に累積点灯時間が６００００時間に達した時点で調光率が１００％に達するように構成されている。これにより、図３Ｂに示す初期照度補正制御の結果として、図３Ａに示すように、累積点灯時間が４００００時間より長く６００００時間未満のいずれかの時点（図３Ａでは約５００００時間付近）で調光率は１００％に達する。
【００３９】
なお、図１及び図２の構成いずれにおいても、初回点灯時には、デフォルト設定の調光上昇率が適用されればよい。また、調光率が１００％に到達した後は、上昇率決定部６１は調光上昇率を決定することなく、調光率決定部６２が全光点灯に対応する調光指令値（目標電流値）を制御回路４０に出力するようにすればよい。
【００４０】
以上のように、本実施形態によるＬＥＤ点灯装置１は、調光指令値が示す調光率に従って直流出力をＬＥＤ２に供給する直流電源回路（ＤＣ／ＤＣコンバータ２０及び制御回路４０）と、ＬＥＤ２の近傍の温度を検出する温度検出回路５０と、照度補正回路６０を備える。照度補正回路６０において、上昇率決定部６１が、温度検出回路５０によって検出される検出温度の増加／減少に対して調光上昇率を逐次的に増加／減少させ、計時部６８がＬＥＤ２の点灯時間を計測し、調光率決定部６２が調光上昇率及び点灯時間から得られる調光率に基づいて調光指令値を決定する。
【００４１】
このように、上昇率決定部６１が検出温度の増加／減少に対して調光上昇率を逐次的に増加／減少させ、この調光上昇率及び点灯時間に基づいて調光率決定部６２が調光指令値を決定するので、検出温度に対して高い追従性を有する照度補正が実現される。さらに、検出温度の増加又は減少に対して調光上昇率が連続的に増加又は減少するように構成される場合には、検出温度に対して高い解像度の照度補正が得られる。この高い追従性又は解像度によって、高い精度の初期照度補正制御が実現される。また、高精度な初期照度補正制御を実行するＬＥＤ点灯装置１を用いてＬＥＤ２が点灯されるので、ＬＥＤ照明装置３における適正な寿命管理が可能となる。
【００４２】
＜第２の実施形態＞
上記第１の実施形態では、初期照度補正制御が雰囲気温度に依存する構成を示したが、本実施形態では、初期照度補正制御が雰囲気温度だけでなく順方向電圧Ｖｆにも依存する構成を示す。
【００４３】
図４に、本実施形態によるＬＥＤ点灯装置１及びＬＥＤ照明装置３のブロック図を示す。本実施形態において、上記第１の実施形態（図１）と実質的に同様の構成には、同一の符号を付し、その詳細な説明を省略する。
【００４４】
本実施形態では、出力検出回路３０は、電流検出抵抗３１に加えて、抵抗３２及び３３を含む電圧検出回路を更に備える。電圧検出回路（抵抗３２及び３３）は出力コンデンサ２４に並列接続された分圧抵抗回路からなり、出力電圧に比例した電圧が抵抗３３に発生する。電圧検出回路によって検出される検出電圧、すなわち、ＬＥＤ２の順方向電圧Ｖｆは、照度補正回路６０のＡ／Ｄ変換部６６に入力される。
【００４５】
照度補正回路６０は、上昇率決定部６１、調光率決定部６２、修正処理部６５、Ａ／Ｄ変換部６６、記憶部６７及び計時部６８に加え、修正処理部６５を更に備え、これらの各部はバスＢによって相互に信号又はデータのやり取りが可能な態様で接続される。また、上昇率決定部６１、調光率決定部６２及び修正処理部６５は、ＣＰＵの一部を構成する。
【００４６】
修正処理部６５は、上昇率決定部６１によって決定された調光上昇率について、ＬＥＤ２の順方向電圧Ｖｆが相対的に高い場合には調光上昇率を増加させ、順方向電圧Ｖｆが相対的に低い場合には調光上昇率を低下させるように修正処理を行う。調光率決定部６２は、この修正された調光上昇率及び点灯時間に従って調光率を決定し、この調光率に基づく調光指令値である目標電流値を制御回路４０に出力する。順方向電圧Ｖｆの高低に対する調光上昇率の高低の関係はＬＥＤ２の劣化特性、順方向電圧Ｖｆのばらつき等を考慮して予め定められており、順方向電圧Ｖｆの変化に対する調光上昇率の変化は段階的であってもよいし、連続的であってもよい。
【００４７】
より詳細には、同じＬＥＤ電流に対して、順方向電圧Ｖｆが高いほど、ＬＥＤ電力が高く、ＬＥＤ２の素子温度が高く、ＬＥＤ２の劣化が速くなる一方で、順方向電圧Ｖｆが低いほど、ＬＥＤ電力が低く、ＬＥＤ２の素子温度が低く、ＬＥＤ２の劣化が遅くなる。したがって、修正処理部６５は、順方向電圧Ｖｆが相対的に高い場合には相対的に速く調光率を増加させ、順方向電圧Ｖｆが相対的に低い場合には相対的に遅く調光率を増加させる。これにより、初期照度補正制御の効果が適正化される。
【００４８】
図５を参照して、調光率変化の例示とともにＬＥＤ点灯装置１の動作を説明する。図５は、同じ環境に設置された３台のＬＥＤ点灯装置１における調光率Ｃ１、Ｃ２及びＣ３の変化を示し、縦軸は点灯状態（調光率）であり、横軸は累積点灯時間である。各調光率の変化に対応する照度（光束）は略一定となるものとする。調光率Ｃ１、Ｃ２及びＣ３は、ＬＥＤ点灯装置１に接続されたＬＥＤ２の順方向電圧ＶｆがそれぞれＶｆ１、Ｖｆ２及びＶｆ３である場合に結果として得られることになる調光率である。ここで、Ｖｆ１＜Ｖｆ２＜Ｖｆ３である。図示するように、修正処理の結果としての調光上昇率に関して、Ｃ１＜Ｃ２＜Ｃ３、となる。すなわち、相対的に高い順方向電圧ＶｆのＬＥＤ２に対しては相対的に速い照度上昇が適用され、相対的に低い順方向電圧ＶｆのＬＥＤ２に対しては相対的に遅い照度上昇が適用される。
【００４９】
以上のように、本実施形態のＬＥＤ点灯装置１は、出力検出回路３０が、ＬＥＤ２の順方向電圧Ｖｆを検出する電圧検出回路（抵抗３２及び３３）を含み、修正決定部６５が、順方向電圧Ｖｆが相対的に高い場合には調光上昇率を増加させ、順方向電圧Ｖｆが相対的に低い場合には調光上昇率を低下させるように修正処理を行う。これにより、順方向電圧Ｖｆの高／低、すなわち、ＬＥＤ電力の高／低に調光上昇率の高／低が対応するので、発熱が多く劣化が速くなり得るＬＥＤ２に対しては相対的に速い照度上昇が適用され、発熱が小さく劣化が遅くなり得るＬＥＤ２に対しては相対的に遅い照度上昇が適用される。このように、上記第１の実施形態で得られる有利な効果に加えて、ＬＥＤ２の素子温度をより正確に反映した高精度な初期照度補正制御が実現される。
【００５０】
＜第２の実施形態の発展例＞
本実施形態の発展例として、修正処理部６５が、調光率決定部６２によって決定された調光率（調光指令値）を更に修正するようにしてもよい。具体的には、修正処理部６５は、順方向電圧Ｖｆが相対的に高い場合には調光率を低下させ、順方向電圧Ｖｆが相対的に低い場合には、調光率を増加させる。順方向電圧Ｖｆの高低に対する調光率（調光指令値）の低高の関係はＬＥＤ２の劣化特性、順方向電圧Ｖｆのばらつき等を考慮して予め定められており、順方向電圧Ｖｆの変化に対する調光率の変化は段階的であってもよいし、連続的であってもよい。
【００５１】
図６を参照して、調光率変化の例示とともにＬＥＤ点灯装置１の動作を説明する。図６は、同じ環境に設置された３台のＬＥＤ点灯装置１における調光率Ｄ１、Ｄ２及びＤ３を示し、縦軸は点灯状態（調光率）であり、横軸は累積点灯時間である。各調光率の変化に対応する照度（光束）は略一定となるものとする。調光率Ｄ１、Ｄ２及びＤ３は、ＬＥＤ点灯装置１に接続されたＬＥＤ２の順方向電圧ＶｆがそれぞれＶｆ１、Ｖｆ２及びＶｆ３（Ｖｆ１＜Ｖｆ２＜Ｖｆ３）である場合に、結果として得られることになる調光率である。順方向電圧Ｖｆは点灯初期において上記の差となって現れるので、修正処理部６５による修正処理は点灯初期（例えば、初回点灯時）に行われればよい。
【００５２】
このような修正処理の結果として、調光率Ｄ１は調光率Ｄ２の初期調光率を増加させたものとなり、調光率Ｄ３は調光率Ｄ２の初期調光率を低下させたものとなる。言い換えると、調光率Ｄ１は図５の調光率Ｃ１を全体として上昇させたものとなり、調光率Ｄ３は図５の調光率Ｃ３を全体として低下させたものとなる。これにより、相対的に高い順方向電圧ＶｆのＬＥＤ２に対しては相対的に低い調光率でかつ速い照度上昇が適用され、相対的に低い順方向電圧ＶｆのＬＥＤ２に対しては相対的に高い調光率でかつ遅い照度上昇が適用される。
【００５３】
なお、第２の実施形態及びその発展例において、修正処理部６５による調光上昇率の修正処理又は調光率（調光指令値）の修正処理は、調光率が１００％に達する前の期間であれば、点灯初期に限らず随時実行されてもよい。これは、順方向電圧Ｖｆが経時的に変動し得るものであること、及びＬＥＤ２を構成するＬＥＤ素子の一部短絡故障によって順方向電圧Ｖｆが低減し得ることを考慮するものである。また、結果として調光率が上述したように修正されるのであれば、修正処理部６５は、調光率を修正してもよいし、調光指令値を修正してもよい。
【００５４】
以上のように、本例のＬＥＤ点灯装置１においては、修正処理部６５は、順方向電圧Ｖｆが相対的に高い場合には調光率を低下させ、順方向電圧Ｖｆが相対的に低い場合には調光率を増加させる。これにより、順方向電圧Ｖｆの高／低に調光率の低／高が対応するので、ＬＥＤ２の発熱及び劣化速度が適正化される。また、複数のＬＥＤ点灯装置１から給電されるＬＥＤ２間のＬＥＤ電力のばらつき、すなわち照度のばらつきが解消される効果も得られる。
【００５５】
＜第３の実施形態＞
上記第２の実施形態では、点灯時間及び順方向電圧Ｖｆに基づいて初期照度補正制御が行われる構成の前提として、調光上昇率が逐次的に決定される構成を示した。本実施形態では、調光上昇率が予め決定されている構成において、点灯時間及び順方向電圧Ｖｆに基づいて初期照度補正制御が行われる構成を示す。
【００５６】
図７に、本実施形態によるＬＥＤ点灯装置１及びＬＥＤ照明装置３のブロック図を示す。本実施形態において、上記第２の実施形態（図４）と実質的に同様の構成には、同一の符号を付し、その詳細な説明を省略する。
【００５７】
照度補正回路６０は、調光率決定部６２、補正関数決定部６３、点灯時間取得部６４、修正処理部６５、Ａ／Ｄ変換部６６、記憶部６７及び計時部６８を備え、これらの各部はバスＢによって相互に信号又はデータのやり取りが可能な態様で接続される。また、調光率決定部６２、補正関数決定部６３、点灯時間取得部６４及び修正処理部６５は、ＣＰＵの一部を構成する。なお、温度検出回路５０及び照度補正回路６０として、図２に示す構成が採用されてもよい。
【００５８】
記憶部６７には、ＬＥＤ２の累積点灯時間に対する調光率を示す調光指令値（目標電流値）の変化を、雰囲気温度ごとに規定する複数の補正関数が記憶される。補正関数に関しては後述する。
【００５９】
補正関数決定部６３は、上記のような累積点灯時間に対する調光率の変化を規定する補正関数を、例えば初期点灯時の雰囲気温度に基づいて決定する。補正関数決定部６３は、記憶部６７に記憶されている複数の補正関数から雰囲気温度に応じて１つの補正関数を選択する。より具体的には、補正関数決定部６３は、まずデフォルト設定の補正関数又は点灯状態（例えば、調光率８０％）において初期点灯を行い、初期点灯時に検出された雰囲気温度に最も近い値の雰囲気温度に対する補正関数をその後採用する。なお、初期点灯とは、ＬＥＤ２がＬＥＤ点灯装置１に装着されてから数回以内程度の点灯、好ましくは初回点灯を意味する。
【００６０】
点灯時間取得部６４は、ＬＥＤ２の累積点灯時間を取得する。累積点灯時間は、計時部６８による計時出力から取得され、記憶部６７に記憶される。なお、調光率が１００％で一定となった後の期間においては累積点灯時間を取得する必要はない。
【００６１】
調光率決定部６２は、補正関数決定部６３によって決定された補正関数に累積点灯時間を適用（代入）して調光率を決定し、この調光率を調光指令値である目標電流値に変換し、それを制御回路４０のオペアンプ４１に出力する。
【００６２】
修正処理部６５は、電圧検出回路（抵抗３２及び３３）によって検出された順方向電圧ＶｆをＡ／Ｄ変換部６６を介して取得する。修正決定部６５は、補正関数決定部６３によって決定された補正関数における単位時間あたりの調光率の上昇率である調光上昇率について、順方向電圧Ｖｆが相対的に高い場合には調光上昇率を増加させ、順方向電圧Ｖｆが相対的に低い場合には調光上昇率を低下させるように補正関数を修正する。この修正処理の作用及び効果は、第２の実施形態において説明したものと同様である。すなわち、修正処理部６５は、順方向電圧Ｖｆが相対的に高い場合には相対的に速く調光率を増加させ、順方向電圧Ｖｆが相対的に低い場合には相対的に遅く調光率を増加させることによって、初期照度補正制御の効果を適正化する。
【００６３】
図８を参照して、補正関数の例示とともにＬＥＤ点灯装置１の動作を説明する。図８において、補正関数Ｅ０及びＦ０は、ＬＥＤ２の順方向電圧Ｖｆの標準値に対応する補正関数であり、補正関数Ｅ０は雰囲気温度３５℃に対する補正関数を示し、補正関数Ｆ０は雰囲気温度２５℃に対する補正関数を示す。横軸は累積点灯時間である。補正関数Ｅ０及びＦ０とも、調光率８０％で点灯が開始される。例えば、補正関数Ｅ０については、累積点灯時間が４００００時間となる時点において調光率が１００％となり、補正関数Ｆ０については、累積点灯時間が６００００時間となる時点において調光率が１００％となるように予め設定されている。図８においても、各補正関数に対応する照度（光束）は略一定となるものとする。
【００６４】
修正処理部６５は、順方向電圧Ｖｆが標準値よりも所定量を超えて高い場合には補正関数Ｅ０／Ｆ０の調光上昇率を増加させて補正関数Ｅ０／Ｆ０を補正関数Ｅ１／Ｆ１に修正する。また、修正処理部６５は、順方向電圧Ｖｆが標準値よりも所定量を超えて低い場合には補正関数Ｅ０／Ｆ０の調光上昇率を減少させて補正関数Ｅ０／Ｆ０を補正関数Ｅ２／Ｆ２に修正する。これにより、各温度帯において、相対的に高い順方向電圧ＶｆのＬＥＤ２に対しては相対的に速い照度上昇が適用され、相対的に低い順方向電圧ＶｆのＬＥＤ２に対しては相対的に遅い照度上昇が適用される。上記所定量、及び所定量と調光上昇率変化量との関係は、ＬＥＤ２の劣化特性、順方向電圧Ｖｆのばらつき等を考慮して適宜定められる。
【００６５】
なお、２つの雰囲気温度（３５℃及び２５℃）に対する補正関数（Ｅ０〜Ｅ２及びＦ０〜Ｆ２）を示すが、３以上の雰囲気温度に対する補正関数が規定されてもよい。例えば、雰囲気温度１５℃について、標準値の順方向電圧Ｖｆについて累積点灯時間１０００００時間で調光率１００％となるような（すなわち、寿命のほぼ全域にわたって調光率が上昇し続けるような）関数が規定されてもよい。また、順方向電圧Ｖｆの変化に対する補正関数間の変化（例えば、補正関数Ｅ１〜Ｅ２間及び補正関数Ｆ１〜Ｆ２間の変化）は、段階的なものであっても連続的なものであってもよい。
【００６６】
以上のように、本実施形態のＬＥＤ点灯装置１は、調光指令値が示す調光率に従って直流出力をＬＥＤ２に供給する直流電源回路（ＤＣ／ＤＣコンバータ２０及び制御回路４０）と、ＬＥＤ近傍の温度を検出する温度検出回路５０と、ＬＥＤ２の順方向電圧Ｖｆを検出する電圧検出回路（抵抗３２及び３３）と、照度補正回路６０を備える。照度補正回路６０において、補正関数決定部６３が、累積点灯時間に対する調光率の変化を規定する補正関数を検出温度に応じて決定し、点灯時間取得部６４がＬＥＤの累積点灯時間を取得し、調光率決定部６２が補正関数に累積点灯時間を適用して得られる調光率に基づいて調光指令値を決定する。そして、修正処理部６５が、順方向電圧Ｖｆが相対的に高い場合には調光上昇率を増加させ、順方向電圧Ｖｆが相対的に低い場合には調光上昇率を低下させるように補正関数を修正する。
【００６７】
このように、複数の補正関数から１つの補正関数が選択される簡素な制御構成においても、上記第２の実施形態と同様に、発熱が多く劣化が速くなり得るＬＥＤ２に対しては相対的に速い照度上昇が適用され、発熱が小さく劣化が遅くなり得るＬＥＤ２に対しては相対的に遅い照度上昇が適用される。これにより、ＬＥＤ２の素子温度をより正確に反映した高精度な初期照度補正制御が実現される。
【００６８】
＜第３の実施形態の発展例＞
本実施形態の発展例として、修正処理部６５が、補正関数決定部６３によって決定された補正関数を更に修正するようにしてもよい。具体的には、修正処理部６５は、順方向電圧Ｖｆが相対的に高い場合には調光率（調光指令値）を低下させ、順方向電圧Ｖｆが相対的に低い場合には調光率（調光指令値）を増加させて補正関数を更に修正する。
【００６９】
図９を参照して、補正関数の例示とともにＬＥＤ点灯装置１の動作を説明する。補正関数Ｅ０及びＦ０は図８に示すものと同様であり、補正関数Ｅ０及びＦ０はそれぞれ雰囲気温度３５℃及び２５℃における順方向電圧Ｖｆの標準値に対応する補正関数である。横軸は累積点灯時間である。図９においても、各補正関数に対応する照度（光束）は略一定となるものとする。
【００７０】
修正処理部６５は、初期点灯時に順方向電圧Ｖｆが標準値よりも所定量を超えて高い場合には補正関数Ｅ０／Ｆ０の初期調光率を低下させて補正関数Ｅ０／Ｆ０を補正関数Ｅ３／Ｆ３に修正する。一方、修正処理部６５は、初期点灯時に順方向電圧Ｖｆが標準値よりも所定量を超えて低い場合には補正関数Ｅ０／Ｆ０の初期調光率を増加させて補正関数Ｅ０／Ｆ０を補正関数Ｅ４／Ｆ４に修正する。これにより、各温度帯において、相対的に高い順方向電圧ＶｆのＬＥＤ２に対しては相対的に低い調光率で速い照度上昇が適用され、相対的に低い順方向電圧ＶｆのＬＥＤ２に対しては相対的に高い調光率で遅い照度上昇が適用される。上記所定量、及び所定量と調光率変化量との関係は、ＬＥＤ２の劣化特性、順方向電圧Ｖｆのばらつき等を考慮して適宜定められる。なお、結果として調光率が上述したように修正されるのであれば、修正処理部６５は、調光率を修正してもよいし、調光指令値を修正してもよい。
【００７１】
また、２つの雰囲気温度（３５℃及び２５℃）に対する補正関数（Ｅ０〜Ｅ４及びＦ０〜Ｆ４）を示すが、３以上の雰囲気温度に対する補正関数が規定されてもよい。例えば、雰囲気温度１５℃について、標準値の順方向電圧Ｖｆについて累積点灯時間１０００００時間で調光率１００％となるような関数が規定されてもよい。また、順方向電圧Ｖｆの変化に対する補正関数間の変化（例えば、補正関数Ｅ３〜Ｅ４間及び補正関数Ｆ３〜Ｆ４間の変化）は、段階的なものであっても連続的なものであってもよい。
【００７２】
以上のように、本例のＬＥＤ点灯装置１は、順方向電圧Ｖｆが相対的に高い場合には調光率を低下させ、順方向電圧Ｖｆが相対的に低い場合には調光率を増加させて補正関数を更に修正する。このように、順方向電圧Ｖｆの高／低に調光率の低／高が対応するので、ＬＥＤ２の発熱及び劣化速度が適正化される。また、複数のＬＥＤ点灯装置１から給電されるＬＥＤ２間のＬＥＤ電力のばらつき、すなわち照度のばらつきが解消される効果も得られる。
【００７３】
＜変形例＞
以上に本発明の好適な実施形態を示したが、本発明は、例えば以下に示すように種々の態様に変形可能である。
【００７４】
（１）修正処理部６５の変形
上記各実施形態では、調光上昇率が上昇率決定部６１によって決定された後、調光率若しくは調光指令値が調光率決定部６２によって決定された後、又は補正関数が補正関数決定部６３によって決定された後に、修正処理部６５によってそれぞれの値に対する修正処理が行われる構成を示した。一方、調光上昇率、調光率若しくは調光指令値又は補正関数の決定処理と、修正処理部６５によるそれらの値に対する修正処理とがそれぞれ実質的に同時に行われてもよい。
【００７５】
（２）出力電流制御の変形
上記各実施形態では、直流電源回路（ＤＣ／ＤＣコンバータ２０及び制御回路４０）における出力電流制御に電流フィードバックが採用される構成を示したが、より簡素な構成として出力電流制御にフィードフォワードが採用される構成も可能である。図１０に、この場合のＬＥＤ点灯装置１及びＬＥＤ照明装置３のブロック図を示す。図１０に示すように、制御回路４０において、照度補正回路６０からの調光指令値（目標電流値）は、増幅回路４６を介してフォトダイオード４４ｄに入力される。温度検出回路５０及び照度補正回路６０は、第１から第３の実施形態について上述したいずれかの温度検出回路５０及び照度補正回路６０である（したがって、検出回路３０（電圧検出回路）は必要に応じて設けられる）。このように、制御回路４０は、温度検出回路５０によって検出された雰囲気温度に基づいて照度補正回路６０によって決定された目標電流値に応じてＤＣ／ＤＣコンバータ２０の出力電流をフィードフォワード制御する。
【符号の説明】
【００７６】
１  ＬＥＤ点灯装置
２  ＬＥＤ
３  ＬＥＤ照明装置
２０  ＤＣ／ＤＣコンバータ（直流電源回路）
３０  出力検出回路
３２、３３  抵抗（電圧検出回路）
４０  制御回路（直流電源回路）
５０  温度検出回路
６０  照度補正回路
６１  上昇率決定部
６２  調光率決定部
６３  補正関数決定部
６４  点灯時間取得部
６５  修正処理部
６８  計時部
【図１】
2017126483.tif 000003
【図２】
2017126483.tif 000004
【図３Ａ】
2017126483.tif 000005
【図３Ｂ】
2017126483.tif 000006
【図４】
2017126483.tif 000007
【図５】
2017126483.tif 000008
【図６】
2017126483.tif 000009
【図７】
2017126483.tif 000010
【図８】
2017126483.tif 000011
【図９】
2017126483.tif 000012
【図１０】
2017126483.tif 000013